(57)【特許請求の範囲】
【請求項１】
光学測定系において波数ｋ１の第１光を測定試料に照射して発生する観測光が透過する光路部と、前記光路部への外部からの光を遮ると共に屈折率が前記光路部とマッチングされていることにより前記光路部の内部のラマンシフトに起因する前記波数ｋ１とは異なる波数ｋ２の第２光であるラマン光を含むノイズ光を低減する遮光部とを備える光学系構造体であって、
前記光路部は、媒質として固体又は液体が用いられ、前記ラマン光が生じるものであり、
前記光路部の内部に、前記第１光が前記光路部を通過するときに生じる前記ラマン光の前記波数ｋ２の波数域成分の進行を遮るフィルタ部材を備え、
前記フィルタ部材が遮る前記波数ｋ２は、前記観測光の波数域に含まれる、光学系構造体。
【請求項２】
前記フィルタ部材の少なくとも一方の面が前記光路部に接触している、請求項１記載の光学系構造体。
【請求項３】
前記光路部は、可撓性を有する、請求項１又は２記載の光学系構造体。
【請求項４】
前記光路部は、シリコーン樹脂である、請求項３記載の光学系構造体。
【請求項５】
前記シリコーン樹脂は、PDMSである、請求項４記載の光学系構造体。
【請求項６】
前記遮光部の媒質として、前記光路部の媒質と屈折率が同じ媒質が用いられている、請求項１から５のいずれかに記載の光学系構造体。
【請求項７】
前記遮光部は、光を吸収する顔料を分散させて含有する、請求項１から６のいずれかに記載の光学系構造体。
【請求項８】
光学測定系において測定試料に波数ｋ１の第１光を照射して発生する観測光を観測する光学測定装置であって、
前記第１光を照射する光源と、
媒質として固体又は液体が用いられてラマンシフトに起因する前記波数ｋ１とは異なる波数ｋ２の第２光であるラマン光が生じるものであって前記観測光が透過する光路部と、
前記光路部への外部からの光を遮ると共に、屈折率が前記光路部とマッチングされていることにより前記光路部の内部の前記ラマン光を含むノイズ光を低減する遮光部と、
前記観測光を観測する測定部と、
前記光路部の内部に、前記第１光が前記光路部を通過するときに生じる前記ラマン光の前記波数ｋ２の波数域成分の進行を遮るフィルタ部材とを備え、
前記フィルタ部材が遮る前記波数ｋ２は、前記観測光の波数域に含まれ、
前記測定部は、前記遮光部により前記ラマン光がノイズ光として低減され且つ前記フィルタ部材により前記波数ｋ２の波数域成分が除去された後の観測光を測定する、光学測定装置。
【請求項９】
前記第２光の波数が前記観測光の波数域に含まれるように前記第１光の波数を調整する波数調整部をさらに備える、請求項８記載の光学測定装置。
【請求項１０】
前記波数調整部は、前記第１光の波数を前記観測光の光強度が最大となる波数とは異なる波数に調整する、請求項９記載の光学測定装置。
【請求項１１】
レンズ、ノッチフィルタ及び色ガラスフィルタをさらに備える、請求項９又は１０記載の光学測定装置。
【請求項１２】
前記光源から前記測定部に至る光路において、
前記第１光及び前記第２光を平行光とする第１レンズと、
前記第１光を反射するノッチフィルタと、
前記観測光以外の光を吸収する色ガラスフィルタと、
前記観測光を含む光を集光する第２レンズと、
前記第２レンズの光軸上であって、前記第２光が集光される位置の近傍にあるアパーチャとを、順に配置されるようにさらに備え、
前記フィルタ部材は、前記第１レンズ及び前記第２レンズの間に配置されている、請求項９から１１のいずれかに記載の光学測定装置。
【請求項１３】
光学測定系において測定試料に波数ｋ１の第１光を照射して発生する観測光を観測する光学測定装置を用いた光学測定方法であって、
前記光学測定装置は、
前記第１光を照射する光源と、
媒質として固体又は液体が用いられてラマンシフトに起因する前記波数ｋ１とは異なる波数ｋ２の第２光であるラマン光が生じるものであって前記観測光が透過する光路部と、
前記光路部への外部からの光を遮ると共に、屈折率が前記光路部とマッチングされていることにより前記光路部の内部の前記ラマン光を含むノイズ光を低減する遮光部と、
前記観測光を観測する測定部と、
前記光路部の内部に、前記第１光が前記光路部を通過するときに生じる前記ラマン光の前記波数ｋ２の波数域成分の進行を遮るフィルタ部材とを有し、
前記フィルタ部材が遮る前記波数ｋ２は、前記観測光の波数域に含まれており、
前記光源が、前記第１光を照射する励起光照射ステップと、
前記フィルタ部材が、前記観測光の波数域の一部である波数ｋ２の前記第２光であるラマン光を遮るフィルタリングステップとを含む、光学測定方法。
【請求項１４】
前記光学測定装置は、前記第２光の波数が前記観測光の波数域に含まれるように調整する波数調整部をさらに有し、
前記励起光照射ステップの後に、前記波数調整部が、前記第１光の波数を調整する調整ステップをさらに含む、請求項１３記載の光学測定方法。
【請求項１５】
前記調整ステップにおいて、前記波数調整部が、前記第１光の波数を前記観測光の光強度が最大となる波数とは異なる波数に調整する、請求項１４記載の光学測定方法。
【発明の詳細な説明】
【技術分野】
【０００１】
本発明は、光学系構造体、光学測定装置及び光学測定方法に関し、特に、光学測定系において励起光を測定試料に照射して発生する観測光を透過する光路部と、光路部への外部からの光を遮ると共に屈折率が前記光路部とマッチングされていることにより光路部の内部のノイズ光を低減する遮光部とを備える光学系構造体等に関するものである。
【背景技術】
【０００２】
近年、ライフサイエンス分野におけるポイントオブケア（POCT）検査のように、吸光度法やレーザー誘起蛍光法などの光分析技術を用いた光測定装置の小型化が要請されている。
【０００３】
発明者らは、光測定装置の小型化を実現するために、図４に示すような、顔料を少なくとも一部に含む樹脂を用いて光学系およびモノリシックな筐体を構成した光誘起蛍光測定装置を提案した（例えば、特許文献１参照）。
【０００４】
具体的には、光誘起蛍光測定装置２０１は、以下の構成の特徴を有する。（１）照射光学系を構成する導光路、観測光収集光学系を構成する導光路の一部に、照射光及び観測光に対して透明な樹脂が充填されている。（２）これらの導光路を構成する透明樹脂を包囲するようにさらに樹脂を設ける。この樹脂には顔料が含有されている。（３）顔料は、迷光を吸収する特性を有する。顔料の含有量は、少なくとも迷光を全て吸収する量に設定されている。（４）透明樹脂と顔料含有樹脂との樹脂の材質は同じである。
【０００５】
上記の構成により、光誘起蛍光測定装置２０１は、例えば、以下の作用・効果を奏する。まず、透明樹脂と顔料含有樹脂との樹脂の材質を同じにすることにより、両樹脂が接触する界面において光の反射や散乱が抑制される。また、顔料含有樹脂に入射した迷光は、顔料により吸収される。そのため、導光路を構成する透明樹脂に戻ることはほとんどない。さらに、顔料含有樹脂から外部へ迷光が漏れることもない。そのため、迷光の複雑な多重反射がほとんど発生しない。結果として、観測光収集光学系は、複雑な多重反射に対応する必要がなく簡便化され、結果的に本測定器は小型化される。以下、このようなシリコーン樹脂で構築した光学系の技術を、ＳＯＴ（Silicone  Optical  Technologies）と呼称することにする。
【先行技術文献】
【特許文献】
【０００６】
【特許文献１】特許第５６６５８１１号公報
【発明の概要】
【発明が解決しようとする課題】
【０００７】
しかしながら、ＳＯＴにおける光学系では、測定光学系の光路部の媒質が固体又は液体である。ラマンシフトに起因する光は、入射光強度、散乱断面積及び光路部の媒質の密度に依存する。中でも、光路部の媒質の密度には大きく依存する。例えば、固体の媒質の一例であるＰＤＭＳ（ポリジメチルシロキサン）は、単分子の質量数62g/mol、密度が0.965g/cm3なので、0.965/62*アボガドロ数=9.37*1021個/cm3程度の分子密度である。液体の媒質の一例である水は、単分子の質量数18g/mol、密度が1.0g/cm3なので、1/18*アボガドロ数=3.34*1022個/cm3程度の分子密度である。他方、気体の媒質の一例である窒素は、1molで22.4Lの体積なので、1/22.4/1000*アボガドロ数=2.69*1019個/cm3程度の密度である。当然、物質によって比率は異なるものの、固体や液体は気体に比べて102から103程度も密度が大きい。そのため、照射光及び観測光が主に空気中を通過する従来の光学系と比べて、ラマンシフトに起因するノイズ光（以下、ラマン光という）の強度が大きく、測定精度（S／N比）に与える影響は無視できないほど大きい。
【０００８】
図５において、試料ケース（ＰＣＲ管）に照射される光を照射光、照射光が照射された試料Ｓから放出される光を観測光とする。照射光が、透明樹脂で充填された導光路を通過する際、照射光の波長に応じたラマンシフトにより、ラマン光が発生する。図４に示すノッチフィルタや色ガラスフィルタは、観測光を透過し、かつ照射光をカットする機能はあるものの、ラマン光をカットする機能はない。そのため、ラマン光は、ノイズ光として測定器（光電子増倍管）に入射してしまう。従来の測定光学系は、このラマン光を低減する余地が残されていた。
【０００９】
ゆえに、本発明は、光路部の媒質に固体又は液体を用いた光学測定装置において、ラマン光を抑制し、測定精度を向上させることが可能な光学系構造体等を提供することを目的とする。
【課題を解決するための手段】
【００１０】
本発明の第１の観点は、光学測定系において波数ｋ１の第１光を測定試料に照射して発生する観測光を透過する光路部と、前記光路部への外部からの光を遮ると共に屈折率が前記光路部とマッチングされていることにより前記光路部の内部のノイズ光を低減する遮光部とを備える光学系構造体であって、前記光路部は、媒質として固体又は液体が用いられており、前記光路部の内部に、前記第１光が前記光路部を通過するときに生じるラマンシフトに起因する波数ｋ２の第２光の進行を遮るフィルタ部材を備える、光学系構造体である。
【００１１】
本発明の第２の観点は、第１の観点の光学系構造体であって、前記フィルタ部材が遮る前記波数ｋ２は、前記観測光の波数域に含まれる。
【００１２】
本発明の第３の観点は、第１又は第２の観点の光学系構造体であって、前記フィルタ部材の少なくとも一方の面が前記光路部に接触している。
【００１３】
本発明の第４の観点は、第１から第３のいずれかの観点の光学系構造体であって、前記光路部は、可撓性を有する。
【００１４】
本発明の第５の観点は、第４の観点の光学系構造体であって、前記光路部は、シリコーン樹脂である。
【００１５】
本発明の第６の観点は、第５の観点の光学系構造体であって、前記シリコーン樹脂は、ＰＤＭＳである。
【００１６】
本発明の第７の観点は、第１から第６のいずれかの観点の光学系構造体であって、前記遮光部の媒質として、前記光路部の媒質と屈折率が同じ媒質が用いられている。
【００１７】
本発明の第８の観点は、第１から第７のいずれかの観点の光学系構造体であって、前記遮光部は、光を吸収する顔料を分散させて含有する。
【００１８】
本発明の第９の観点は、光学測定系において測定試料に波数ｋ１の第１光を照射して発生する観測光を観測する光学測定装置であって、前記第１光を照射する光源と、媒質として固体又は液体が用いられており前記観測光を透過する光路部と、前記光路部への外部からの光を遮ると共に、屈折率が前記光路部とマッチングされていることにより前記光路部の内部のノイズ光を低減する遮光部と、前記観測光を観測する測定部と、前記光路部の内部に、前記第１光が前記光路部を通過するときに生じるラマンシフトに起因する波数ｋ２の第２光の進行を遮るフィルタ部材とを備える、光学測定装置である。
【００１９】
本発明の第１０の観点は、第９の観点の光学測定装置であって、前記観測光の光強度が最大となる波数とは異なる波数に調整する波数調整部をさらに備える。
【００２０】
本発明の第１１の観点は、第１０の観点の光学測定装置であって、前記波数調整部は、前記第２光の波数が前記観測光の波数域とは異なる波数となるように、前記第１光の波数を調整する。
【００２１】
本発明の第１２の観点は、第９から第１１のいずれかの観点の光学測定装置であって、レンズ、ノッチフィルタ及び色ガラスフィルタをさらに備える。
【００２２】
本発明の第１３の観点は、第９から第１２のいずれかの観点の光学測定装置であって、前記光源から前記測定部に至る光路において、前記第１光及び前記第２光を平行光とする第１レンズと、前記第１光を反射するノッチフィルタと、前記観測光以外の光を吸収する色ガラスフィルタと、前記観測光を含む光を集光する第２レンズと、前記第２レンズの光軸上であって、前記第２光が集光される位置の近傍にあるアパーチャとを、順に配置されるようにさらに備え、前記フィルタ部材は、前記第１レンズ及び前記第２レンズの間に配置されている。
【００２３】
本発明の第１４の観点は、光学測定系において測定試料に波数ｋ１の第１光を照射して発生する観測光を観測する光学測定装置を用いた光学測定方法であって、前記光学測定装置は、前記第１光を照射する光源と、媒質として固体又は液体が用いられており前記観測光を透過する光路部と、前記光路部への外部からの光を遮ると共に、屈折率が前記光路部とマッチングされていることにより前記光路部の内部のノイズ光を低減する遮光部と、前記観測光を観測する測定部と、前記光路部の内部に、前記第１光が前記光路部を通過するときに生じるラマンシフトに起因する波数ｋ２の第２光の進行を遮るフィルタ部材とを有し、前記光源が、前記第１光を照射する励起光照射ステップと、前記フィルタ部材が、前記第２光を遮るフィルタリングステップとを含む、光学測定方法である。
【００２４】
本発明の第１５の観点は、第１４の観点の光学測定方法であって、前記励起光照射ステップにおいて、前記光源は、前記第１光として、前記第２光の波数が前記観測光の波数域とは異なる波数となるような波数の光を照射する。
【００２５】
本発明の第１６の観点は、第１４の観点の光学測定方法であって、前記光学測定装置は、前記第１光の波数を前記観測光の光強度が最大となる波数とは異なる波数に調整する波数調整部をさらに有し、前記励起光照射ステップの後に、前記波数調整部が、前記第１光の波数を調整する調整ステップをさらに含む。
【００２６】
本発明の第１７の観点は、第１４の観点の光学測定方法であって、前記調整ステップにおいて、前記波数調整部は、前記第２光の波数が前記観測光の波数域とは異なる波数となるように、前記第１光の波数を調整する。
【００２７】
本発明の第１８の観点は、第１４の観点の光学測定方法であって、前記波数ｋ２が前記観測光の波数域に含まれており、前記フィルタリングステップにおいて、前記フィルタ部材が、前記観測光の波数域の一部である波数ｋ２の光を遮る。
【発明の効果】
【００２８】
本発明の各観点によれば、例えばＳＯＴのように、光路部の媒質に固体又は液体を用いた光学測定系において、ラマンシフトに起因するノイズ光を抑制し、測定精度を向上させることが可能となる。
【００２９】
そもそも、ラマン光は、光路部の媒質の密度に大きく依存する。出願人による光学測定系以外は、光路部の媒質が一般に空気等の気体であり、固体や液体に比べて媒質の密度が極めて小さい。そのため、測定中に発生するラマン光は、観測光に比較してさほど大きな影響がなかった。
【００３０】
本発明の各観点は、光学測定系の光路部の媒質として固体又は液体を採用した本発明者らの光学測定系において顕著となるために見出された新規の課題を解決するものである。
【００３１】
また、本発明の第２及び第１８の観点によれば、ラマン光が観測光の波数域に含まれる場合に、観測光の一部をあえてフィルタ部材で遮ることにより、ラマンシフトに起因するノイズ光を抑制し、測定精度を向上させることが可能となる。
【００３２】
観測光をフィルタ部材でカットすることは、通常の光学測定においては考えられず、阻害要因がある。この点、ラマン光がS/N比に及ぼす影響が無視できない光学測定系において初めて有意義となる技術的な思想である。
【００３３】
また、本発明の第３の観点によれば、ラマン光を確実にフィルタ部材に入射させて除去することが容易となる。
【００３４】
また、本発明の第４の観点によれば、光路部を屈曲させることにより、ラマン光を遮光部に入射させて効果的に除去することが容易となる。
【００３５】
さらに、本発明の第５から第８、並びに、第１２及び第１３の観点によれば、具体的にSOTに対して本発明の技術的思想を反映することが容易となる。
【００３６】
ここで、ラマンシフトのシフト幅は、励起光の波数には依存しない。そのため、励起光の波数を調整することにより、ラマン光の波数を観測光の波数域に重ならない波数とすることが可能である。
【００３７】
そこで、本発明の第１０、第１１、第１６及び第１７の観点によれば、測定試料に照射した際に発生する観測光の強度が最大となる波数の光とは異なる波数の光をあえて励起光として用いることにより、ノイズ光である第２光のみを除去することが可能となる。そのため、観測光のS/N比を高めることがさらに容易となる。
【図面の簡単な説明】
【００３８】
【図１】本発明の実施例に係る光学測定装置の具体的な構成の一例を示す図である。
【図２】本発明の実施例１に係る光学測定方法において、観測光と共にラマン光をフィルタリングする概念を示す図である。
【図３】本発明の実施例２に係る光学測定方法において、ラマン光が観測光と重複しないように励起光を調整する概念を示す図である。
【図４】従来の光学測定装置の具体的な構成の一例を示す図である。
【図５】図４の従来の光学測定装置において、測定試料及び測定試料を挿入する部位を拡大して示す図である。
【発明を実施するための形態】
【００３９】
以下、図面を参照して、本願発明の実施例について述べる。なお、本願発明の実施の形態は、以下の実施例に限定されるものではない。
【実施例１】
【００４０】
図１に、本発明の光学測定装置の具体的な構成の一例として光誘起蛍光測定装置１（本願請求項における「光学測定装置」の一例）を示す。光誘起蛍光測定装置１は、DPSSレーザヘッド等の固体光源３（本願請求項における「光源」の一例）、試料５（本願請求項における「測定試料」の一例）を保持する試料ケース７、レンズや光学フィルタ等からなる蛍光収集光学系９（本願請求項における「光学系構造体」の一例）、光電子増倍管などの蛍光測定器１１（本願請求項における「測定部」の一例）を含む。
【００４１】
試料ケース７は、固体光源３からの励起光（本願請求項における「第１光」の一例）、試料５から放出される蛍光（本願請求項における「観測光」の一例）を含む光に対して透明であり、レーザービーム照射空間１３に設置される。蛍光測定器１１は、固体光源３から蛍光測定器１１に直接入光しないよう、測定光（励起光）と観測光の光軸が直交する位置に設置される。試料ケース７から蛍光測定器１１の間には、蛍光収集光学系９が設けられる。蛍光収集光学系９は、試料からの蛍光が入射する側から順に、第１ノッチフィルタ２１１（本願請求項における「ノッチフィルタ」の一例）と、励起光および試料５から放出される蛍光を含む光を平行光にする第１レンズ１５（本願請求項における「レンズ」及び「第１レンズ」の一例）と、第２ノッチフィルタ２１２（本願請求項における「ノッチフィルタ」の一例）と、ラマンフィルタ１９（本願請求項における「フィルタ部材」の一例）と、第１色ガラスフィルタ２３１（本願請求項における「色ガラスフィルタ」の一例）と、第２色ガラスフィルタ２３２（本願請求項における「色ガラスフィルタ」の一例）と、蛍光を含む光を集光する第２レンズ１７（本願請求項における「レンズ」及び「第２レンズ」の一例）と、第２レンズ１７の光軸上であって蛍光の集光位置近傍に配置されるアパーチャ２４（本願請求項における「アパーチャ」の一例）と、第３色ガラスフィルタ２３３（本願請求項における「色ガラスフィルタ」の一例）から構成される。ノッチフィルタは固体光源３から出射する励起光の波長の光を反射するフィルタ部材であり、色ガラスフィルタは試料から放出される蛍光以外の光を吸収するフィルタ部材である。
【００４２】
本実施例におけるラマンフィルタ１９は、ラマン光（本願請求項における「第２光」の一例）の波数域の光の進行を遮るフィルタ部材である。
【００４３】
固体光源３、試料ケース７、蛍光収集光学系９、蛍光測定器１１は、上記励起光や蛍光を含む光に対して透明なＰＤＭＳ（本願請求項における「媒質」及び「シリコーン樹脂」の一例）等の透明樹脂２５（本願請求項における「光路部」の一例）に埋設される。すなわち、透明樹脂２５により試料ケース７、蛍光収集光学系９、光電子倍増菅等の蛍光測定器１１が一体化して保持される。
【００４４】
各構成要素を一体化して保持する透明樹脂２５は、励起光、試料ケース７に励起光が照射される際に発生する自家蛍光、及び励起光が透明樹脂２５内を進行する際、透明樹脂２５から発生するラマン光を吸収する波長特性を有する顔料（本願請求項における「顔料」の一例）がほぼ一様に含有している顔料含有樹脂２７（本願請求項における「遮光部」の一例）により包囲される。この顔料含有樹脂２７には、必要に応じて固体光源３および蛍光測定器１１に電力を供給する電力源２９が埋設される。すなわち、顔料含有樹脂２７は、試料ケース７、蛍光測定器１１、及び、蛍光収集光学系９等を保持する筐体を構成する。
【００４５】
このように、ＳＯＴにおける光測定装置では、蛍光収集光学系９の光路部の媒質が透明樹脂２５である。そのため、測定光及び観測光が主に空気中を通過する従来の光学系と比べて、ラマン光の強度が大きく、測定精度（S／N比）に与える影響は無視できないほど大きい。そこで、本発明では蛍光収集光学系９にラマンフィルタ１９を挿入することで、高精度な測定を実現した。
【００４６】
なお、従来のSOTにおける光測定装置と同様に、光誘起蛍光測定装置１を構成する各構造物が、透明樹脂２５及び顔料含有樹脂２７に埋設されているので、外部からの衝撃に対して安定であり、また光学素子を保持するホルダも不要なので、光誘起蛍光測定装置１は、小型かつ携帯可能なものとなる。
【００４７】
ここで、透明樹脂２５と顔料含有樹脂２７とは屈折率がマッチングされている。ここでいうマッチングとは、透明樹脂２５及び顔料含有樹脂２７の界面における界面反射がある程度（無視できるくらい）に小さくなるように、透明樹脂２５の屈折率と顔料含有樹脂２７の屈折率とが、同一か近似した値であるように選択又は調整することをいう。
【００４８】
上記筐体を包囲する顔料含有樹脂２７により、光誘起蛍光測定装置１外部に励起光や測定光である蛍光は放出されず、また外部からの光が蛍光収集光学系９等の内部に入ることもない。顔料含有樹脂２７は、ノイズ光の光吸収層として機能する。
【００４９】
図２（ａ）は、ラマン光１０１が、観測光１０３の波長域の一部に重なって観測されるスペクトルのモデル図である。例えば、励起光１０５（測定光）をＹＡＧレーザの第２高調波（λ＝５３２ｎｍ）、透明シリコーン樹脂をＰＤＭＳ、測定試料をRhodamine  Bとすると、図２（ａ）に示すように、観測光１０３（ストークスシフト光）は、波長５５０〜６５０ｎｍに発生するとともにラマン光１０１は波長６３０ｎｍ付近に発生する。この場合、観測光１０３の波長域（５５０〜６５０ｎｍ）内に、ＰＤＭＳを励起光１０５が通過する際に発生するラマン光１０１（６３０ｎｍ）がある。そのため、観測光１０３の強度にはノイズとなるラマン光１０１の強度が含まれる。
【００５０】
また一般に、励起光１０５の強度が大きくなると、ラマン光１０１の強度も大きくなる。そのため、励起光１０５の強度が変動すると、ノイズ光となるラマン光１０１の強度も変動する。
【００５１】
図５に参照されるように、測定部は試料ケース（ＰＣＲ管）に保持された試料Ｓにより構成される。詳細には、まず試料ケース挿入部２ａにＰＣＲ管が挿入される。すなわち、ＰＣＲ管は、ＳＯＴ構造を有する本体１０に挿入される。試料Ｓが保持されるＰＣＲ管先端は、本体１０の最外部に存在する顔料含有シリコーン樹脂を通過し、励起光（例えばレーザ装置から放出される波長５３２ｎｍのレーザ光）が照射する位置にセットされる。
【００５２】
このとき、ＰＣＲ管の挿入具合によっては、試料Ｓが存在する位置のＰＣＲ管表面と透明シリコーン樹脂との接触具合や試料Ｓの上記挿入方向の位置（測定部の位置精度）が変化する。このような変動が発生すると、ＰＣＲ管を経由して又はＰＣＲ管で散乱して、図４の透明シリコーン樹脂（ＰＤＭＳ）へ進む励起光の強度も変動し、結果として、ノイズ光となるラマンシフト光の強度も変動する。
【００５３】
図２（ｂ）は、本発明に用いるフィルタ部材の一例の透過率を示す図である。図２（ａ）に示されるようなノイズ光の影響を抑制するために、ラマン光１０１の波数域の光をカットし、その他の波数域の光を透過させるような透過特性を有するフィルタ部材を、ＳＯＴを採用した光学系構造において、測定器（光電子増倍管）の光入射側に挿入する。
【００５４】
その結果、図２（ｃ）に示すように、ラマン光１０１の影響がキャンセルされた観測光１０７を得ることができる。なお、同図に示すように、フィルタ部材により観測光１０３の一部もカットされるので、観測光１０７の強度は観測光１０３に比べて減少することになる。しかし、変動するラマン光１０１の成分がカットされることになるので、Ｓ／Ｎ比が上がり、測定精度を向上させることができる。すなわち、本実施例に係る光学系構造体を用いて敢えて観測光１０３の一部をカットすることにより、測定精度を向上させるものである。
【実施例２】
【００５５】
続いて、図３を参照して、そもそもラマン光を観測光に重複させないように設定することで、ノイズ光を低減させる光学系について説明する。本実施例に係る光誘起蛍光測定装置は、実施例１の光誘起蛍光測定装置１の構成に加えて、光源の波数を調整する波数調整部（本願請求項における「波数調整部」の一例）をさらに備える。波数調整部は、例えば、非線形光学結晶を用いて実装可能である。
【００５６】
観測光の波数域は、試料Ｓ（蛍光試料）の特性と、測定光（励起光）の波数により変動する。一方、透明シリコーン樹脂に対するラマンシフト量の変動は、励起光の波数が変わってもあまり変わらない。以上をふまえ、試料Ｓ（蛍光試料）の特性と、励起光１１５の波数との関係を考慮することにより、図３（ａ）に示すようにラマン光１１１の波数が観測光１１３の波数域と重複しないように設定することが可能となる。
【００５７】
ここで、通常の蛍光測定においては、励起光の波数は、観測光の強度が最大となる最大励起波数に設定する。しかし、本実施例では敢えて最大励起波数ではなく、ラマンシフト光と観測光の重複を避けられる波数域に設定した。
【００５８】
ラマン光１１１の影響を抑制するために、図３（ｂ）に示すような、ラマン光１１１の波数域の光をカットし、その他の波数域の光を透過させるような透過特性を有するフィルタ部材を、上記ＳＯＴを採用した光学系構造において、測定器（光電子増倍管）の光入射側に挿入する。
【００５９】
その結果、図３（ｃ）に示すように、ノイズ光がカットされ、観測光を得ることができる。上記したように、ラマンシフトに起因するノイズ光の波数が観測光の波数域と重複していないので、フィルタ部材により観測光の一部がカットされることがない。よって、観測光の強度を減少させることなく、変動するノイズ光成分がカットすることが可能となり、Ｓ／Ｎ比が上がり、更に測定精度を向上させることができる。
【００６０】
なお、図１に示す第１色ガラスフィルタ２３１（本願請求項における「色ガラスフィルタ」の一例）と、第２色ガラスフィルタ２３２（本願請求項における「色ガラスフィルタ」の一例）でラマンシフトに起因するノイズ光を十分に減衰させてもよい。この場合、第１色ガラスフィルタ２３１及び第２色ガラスフィルタ２３２が前記ラマン光１１１の波数域の光をカットするフィルタ部材を兼ねた構成といえる。このように、複数の部材によりフィルタ部材を実現してもよい。例えば、ラマン光の波長よりも長波長側を通過させるハイパスフィルタと、ラマン光の波長よりも低波長側を通過させるローパスフィルタとを組み合わせてフィルタ部材として用いてもよい。
【００６１】
また、ラマン光の波数が観測光の波数域から外れる場合、光学測定装置が測定部として分光器を用いて観測光の波数域のみを測定することにより、ラマン光の測定に及ぼす影響を排除することが可能となる。このような場合は、光学測定装置がフィルタ部材を備えずともよい。
【００６２】
なお、実施例１及び２において、図２（ｂ）、図３（ｂ）に示すような特性を有するフィルタ部材は干渉フィルタである。そのため、フィルタ部材は、図１に示すように、平行光路内に挿入される。
【００６３】
なお、実施例２において、光誘起蛍光測定装置が、光源の波数を調整する波数調整部を備えるとした。しかし、観測光の光強度が最大となる波数とは異なる波数の励起光を光源として備える光誘起蛍光測定装置を用いてもよい。この場合も、必要に応じて、光誘起蛍光測定装置が波数調整部を備えていてもよい。
【００６４】
また、実施例１及び２において、光学測定装置として光誘起蛍光測定装置を想定した。しかし、媒質が固体又は液体で充填されている光学系のように、ラマン光がS/N比に及ぼす影響が無視できないほど大きい光学系を含む光学測定装置であれば本発明を適用可能である。光学測定装置は、光有機傾向測定装置以外の装置であってもよい。
【符号の説明】
【００６５】
１・・・光誘起蛍光測定装置、３・・・固体光源、５・・・試料、７・・・試料ケース、９・・・蛍光収集光学系、１１・・・蛍光測定器、１３・・・レーザービーム照射空間、１５・・・第１レンズ、１７・・・第２レンズ、１９・・・ラマンフィルタ、２１・・・ノッチフィルタ、２３・・・色ガラスフィルタ、２５・・・透明樹脂、２７・・・顔料含有樹脂、２９・・・電力源、１０１及び１１１・・・ラマン光、１０３、１０７、１１３・・・観測光、１０５及び１１５・・・励起光
【図１】
0006664771.tif 000002
【図２】
0006664771.tif 000003
【図３】
0006664771.tif 000004
【図４】
0006664771.tif 000005
【図５】
0006664771.tif 000006